(57)【要約】【課題】制御装置等を効率良く設置できる構成を実現し、しかもかかる構成において不正対策を講じる。【解決手段】遊技盤の裏面には、主制御装置ユニット７００と音声ランプ制御装置ユニット８００が上下方向に並ぶようにして取り付けられている。主制御装置ユニット７００と音声ランプ制御装置ユニット８００は、パチンコ機１０の前後方向のほぼ同じ位置であって防護カバー８２と近接する位置に配置されている。主制御装置７０１と音声ランプ制御装置８０１を搭載する各制御取付台７１１，８１１は、遊技盤１６の裏面から離間されるように構成されている。各制御取付台７１１，８１１の背面側には、格子状に複数のリブ７４２，８４２が設けられている。【選択図】      図６
2010253320.tif 000002
【特許請求の範囲】
【請求項１】
取付対象に開閉可能に支持される支持部を有する遊技機本体と、
遊技に関する制御を司る制御基板を基板ケースに収容してなる制御装置と、
前記遊技機本体の背面側に取り付けられると共に、前記制御装置を前記遊技機本体の背面側から装着可能な装着部を有する台座部材と、
前記遊技機本体の少なくとも一部を背面側から覆い、前記遊技機本体の背面側に取り付けられる遊技部品に遊技球が衝突することを抑制し得る被覆部材と
を備えた遊技機において、
前記制御装置が前記被覆部材と近接するよう、前記遊技機本体又は前記台座部材の少なくとも一方に、前記遊技機本体と前記装着部との間に所定の隙間領域を形成する脚部を形成し、
前記台座部材の前記遊技機本体と相対する側に、前記隙間領域を細分化する細分化部材を設けたことを特徴とする遊技機。
【発明の詳細な説明】
【技術分野】
【０００１】
本発明は、遊技機に関するものである。
【背景技術】
【０００２】
この種の遊技機として例えばパチンコ機では、遊技盤等よりなる遊技機本体に形成された遊技領域に対して遊技球が発射され、当該遊技領域内の各種入賞口に遊技球が入賞されるとそれに伴い所定個数の遊技球が払い出される。また、例えば遊技領域の中央部には液晶表示装置等よりなる図柄表示ユニットが設置され、この図柄表示ユニットにより複数列の図柄が変動表示される。この場合、所定入賞口（始動入賞口）への入賞をトリガとして図柄表示ユニットによる図柄の変動表示が開始され、その後、所定の変動パターンによる変動表示を経て図柄の変動表示が停止される。そして、各図柄列の停止図柄が確定した際にその図柄が同一図柄であれば、特別遊技状態（大当たり状態）に移行し多量の遊技球が払い出される。特別遊技状態に移行する確率は比較的低確率で設定され、特別遊技状態に移行しない場合には通常状態のままとされる。
【０００３】
パチンコ機は、その遊技機本体の背面側に、遊技に関する主要な制御を司る主基板を有しており、当該主基板により、入賞に伴う遊技球の払出や、その都度の遊技状態を通常状態又は特別遊技状態のいずれにするかなどが制御される。パチンコ機には、前記主基板の他、遊技球の払出を制御する払出制御基板、図柄表示ユニットにおける図柄の変動表示を制御する表示制御基板、遊技機に設置された音声装置やランプ装置による補助演出を実施する音声ランプ制御基板などが搭載されている。
【０００４】
前記の如く遊技機本体の背面側には、主基板をはじめ複数の制御基板（制御装置）が搭載されており、これら制御基板を台座部材を介して遊技機本体に搭載するものも具体化されている。この場合、制御基板が安定した状態で取り付けられるなどの利点がある。
【０００５】
また近年の遊技機においては、興趣向上などを図るべく遊技演出を多様化するなどの工夫がなされており、遊技機本体の背面側には種々の役物や、中継基板等の基板装置類が多数配設される。そのため、台座部材を遊技機本体から離間させるようにして設けると共に、台座部材と遊技機本体の間に形成される隙間領域を利用して各種役物や基板装置類を効率良く配置することが検討されている。一方、台座部材と遊技機本体の間に隙間領域が形成されると、その隙間領域に外部から手や工具等を差し入れてパチンコ機を誤動作させる等の不正行為が行われる可能性が生じる。そのため、隙間領域に手や工具等が差し入れられることを阻止すべく、台座部材に遮蔽部を設ける技術が提案されている（例えば特許文献１参照）。
【０００６】
また、台座部材と遊技機本体の間に隙間領域が形成されるように台座部材を設けた場合、この隙間領域を不正目的で悪用されることも懸念される。具体的には、隙間領域に不正基板などを取り付けられることが懸念される。かかる懸念は、台座部材に遮蔽部を設ける構成としても依然残されたままである。したがって、その不正対策が望まれている。
【先行技術文献】
【特許文献】
【０００７】
【特許文献１】特開２００４−２７５５５３号公報
【発明の概要】
【発明が解決しようとする課題】
【０００８】
本発明は、以上例示した事情等に鑑みてなされたものであり、制御装置等を効率良く設置できる構成を実現し、しかもかかる構成において不正対策を講じることができる遊技機を提供することを主たる目的とする。
【課題を解決するための手段】
【０００９】
請求項１に記載の発明は、
取付対象に開閉可能に支持される支持部を有する遊技機本体と、
遊技に関する制御を司る制御基板を基板ケースに収容してなる制御装置と、
前記遊技機本体の背面側に取り付けられると共に、前記制御装置を前記遊技機本体の背面側から装着可能な装着部を有する台座部材と、
前記遊技機本体の少なくとも一部を背面側から覆い、前記遊技機本体の背面側に取り付けられる遊技部品に遊技球が衝突することを抑制し得る被覆部材と
を備えた遊技機において、
前記制御装置が前記被覆部材と近接するよう、前記遊技機本体又は前記台座部材の少なくとも一方に、前記遊技機本体と前記装着部との間に所定の隙間領域を形成する脚部を形成し、
前記台座部材の前記遊技機本体と相対する側に、前記隙間領域を細分化する細分化部材を設けたことを特徴とする。
【発明の効果】
【００１０】
本発明によれば、制御装置等を効率良く設置できる構成を実現し、しかもかかる構成において不正対策を講じることができる。
【図面の簡単な説明】
【００１１】
【図１】一実施の形態におけるパチンコ機を示す正面図である。
【図２】パチンコ機の構成を示す背面図である。
【図３】遊技盤の構成を示す正面図である。
【図４】遊技盤の構成を示す右側面図である。
【図５】遊技盤の構成を示す背面図である。
【図６】パチンコ機の要部断面図である。
【図７】主制御装置ユニットの構成を示す正面図である。
【図８】主制御装置ユニットの構成を示す斜視図である。
【図９】主制御取付台の構成を示す斜視図である。
【図１０】表示制御取付台の構成を示す斜視図である。
【図１１】パチンコ機の電気的構成を示すブロック図である。
【図１２】主制御取付台の別の構成を示す背面図である。
【発明を実施するための形態】
【００１２】
はじめに、本実施の形態から抽出され得る発明群を手段ｎ（ｎ＝１，２，３…）として区分して示し、それらを必要に応じて効果等を示しつつ説明する。なお以下においては、理解の容易のため、本実施の形態において対応する構成を括弧書き等で適宜示すが、この括弧書き等で示した具体的構成に限定されるものではない。
【００１３】
手段１．取付対象（外枠１１）に開閉可能に支持される支持部（支持機構１３）を有する遊技機本体（本体枠１２、前扉枠１４、遊技盤１６等）と、
遊技に関する制御を司る制御基板（主基板等）を基板ケース（基板ボックス７０２等）に収容してなる制御装置（主制御装置７０１等）と、
前記遊技機本体の背面側に取り付けられると共に、前記制御装置を前記遊技機本体の背面側から装着可能な装着部（基板装着部７１２等）を有する台座部材（主制御取付台７１１等）と、
前記遊技機本体の少なくとも一部を背面側から覆い、前記遊技機本体の背面側に取り付けられる遊技部品（第１図柄表示装置４１等）に遊技球が衝突することを抑制し得る被覆部材（防護カバー８２）と
を備えた遊技機において、
前記制御装置が前記被覆部材と近接するよう、前記遊技機本体又は前記台座部材の少なくとも一方に、前記遊技機本体と前記装着部との間に所定の隙間領域を形成する脚部（脚部７２１等）を形成し、
前記台座部材の前記遊技機本体と相対する側に、前記隙間領域を細分化する細分化部材（リブ７４２等）を設けたことを特徴とする遊技機。
【００１４】
手段１によれば、台座部材の装着部に制御装置が装着され、その状態で台座部材が遊技機本体の背面側に取り付けられている。遊技機本体又は台座部材の少なくとも一方には脚部が設けられており、台座部材を遊技機本体の背面側に取り付けた状態では、装着部と遊技機本体との間に所定の隙間領域が形成されるようになっている。かかる構成とすることにより、この隙間領域に例えば各種役物や、中継基板等の基板装置などを設置することが可能となり、各種遊技部品の配置に関する設計自由度を高めることが可能となる。ただし、この隙間領域が悪用されて不正部品等が設置されることなどが懸念されている。
【００１５】
上記懸念は、台座部材が遊技機本体に当接するように、或いは遊技機本体の背面側に設けられる遊技部品に台座部材が当接するように台座部材を取り付ける構成とすれば、好適に解消することが可能である。しかしながら、かかる構成とした場合、台座部材の配置位置を機種毎に見直す必要が生じ、設計負荷や製造負荷が高まる可能性が新たに懸念されることとなる。
【００１６】
一方、本構成では、台座部材に装着された制御装置が被覆部材と近接するように脚部を形成し、台座部材の遊技機本体と相対する側に、隙間領域を細分化する細分化部材を設けた。これにより、台座部材を可能な限り遊技機の奥寄りに配置することが可能となり、十分な隙間領域を確保することが可能となる。故に、台座部材の配置位置を見直す機会を低減させることが可能となり、上記懸念を好適に解消することが可能となる。また、単に隙間領域の開口部を遮蔽するような既存の構成等とは異なり、隙間領域そのものを細分化部材により縮小させることができ、この隙間領域を利用して不正基板等を設置する不正行為などが抑制できる。以上の結果、制御装置等を効率良く設置できる構成を実現し、しかもかかる構成における十分な不正対策を講じることができる。なお、「隙間領域を細分化」とは、隙間領域を複数の小さな領域に区画するものの他、隙間領域を遮るものをも含む。また、「制御装置が被覆部材と近接するように」とは、制御装置が被覆部材に覆われている場合、制御装置が遊技機本体より被覆部材に近い位置に配置されることを意味し、より詳しくは、制御装置と被覆部材が所定の隙間を以って配置されることやこれらが当接して配置されることを意味する。また、制御装置が被覆部材に覆われていない又はその一部が被覆部材から露出している場合、遊技機本体の前後方向における制御装置の後面と被覆部材の後面とがほぼ同じ位置となるように配置されることを意味する。以下も同じである。
【００１７】
手段２．上記手段１において、前記細分化部材又は前記細分化部材の一部として、複数の仕切り板部（リブ７４２等）を設けたことを特徴とする遊技機。
【００１８】
手段２によれば、台座部材の遊技機本体と相対する側には、複数の仕切り板部が設けられている。かかる構成とすることにより、隙間領域を細分化することが可能となり、各領域の一つ一つを比較的小さなものに区画することが可能となる。故に、遊技機本体と台座部材の間に不正基板を設置するための領域を確保することが困難なものとなり、不正行為を抑止することが可能となる。また、仕切り板部を設けることにより、台座部材の剛性を確保することも可能となる。
【００１９】
手段３．上記手段２において、前記複数の仕切り板部を格子状に設けたことを特徴とする遊技機。
【００２０】
手段３によれば、複数の仕切り板部は格子状に設けられている。かかる構成とすることにより、隙間領域を格子状に細分化することが可能となり、各領域の一つ一つを比較的小さなものに区画することが可能となる。故に、遊技機本体と台座部材の間に不正基板を設置するための領域を確保することが困難なものとなり、不正行為を抑止することが可能となる。
【００２１】
手段４．上記手段１乃至手段３のいずれかにおいて、前記細分化部材又は前記細分化部材の一部として、前記遊技機本体に向けて延びる複数の柱部材（ボス７６１）を点在させて設けたことを特徴とする遊技機。
【００２２】
手段４によれば、台座部材の遊技機本体と相対する側には、遊技機本体に向けて延びる複数の柱部材が点在して設けられている。かかる構成とすることにより、不正基板を設置するために必要な領域を柱部材によって遮ることが可能となる。故に、遊技機本体と台座部材の間に不正基板を設置するための領域を確保することが困難なものとなり、不正行為を抑止することが可能となる。
【００２３】
手段５．上記手段１乃至手段４のいずれかにおいて、前記細分化部材を、前記遊技機本体又は前記遊技機本体から後方に突出するようにして取り付けられる遊技部品（集合板ユニット６８等）と近接するように、前記台座部材から延設したことを特徴とする遊技機。
【００２４】
手段５によれば、細分化部材は、遊技機本体又は遊技機本体から後方に突出するようにして取り付けられる遊技部品と近接するように、台座部材から延設されている。かかる構成とすることにより、遊技機本体と台座部材の間に不正基板を設置するための領域を確保することが困難なものとなり、不正行為を抑止することが可能となる。
【００２５】
手段６．上記手段１乃至手段５のいずれかにおいて、前記脚部を、前記隙間領域を囲むように設けたことを特徴とする遊技機。
【００２６】
手段６によれば、脚部は、隙間領域を囲むように設けられている。かかる構成とすることにより、隙間領域への外部からの侵入を脚部によって阻害することが可能となる。故に、不正行為を好適に抑止することが可能となる。
【００２７】
手段７．上記手段１乃至手段５のいずれかにおいて、前記脚部を、前記隙間領域の全周を囲むように設けたことを特徴とする遊技機。
【００２８】
手段７によれば、脚部は、隙間領域の全周を囲むように設けられている。かかる構成とすることにより、隙間領域への外部からの侵入を脚部によって阻害することが可能となる。故に、不正行為を好適に抑止することが可能となる。
【００２９】
手段８．上記手段１乃至手段５のいずれかにおいて、前記隙間領域の内外を区画する区画壁（脚部７２１等）を設けたことを特徴とする遊技機。
【００３０】
手段８によれば、隙間領域の内外を区画するようにして区画壁が設けられている。かかる構成とすることにより、隙間領域への外部からの侵入を区画壁によって遮蔽することが可能となる。故に、不正行為を好適に抑止することが可能となる。
【００３１】
手段９．上記手段８において、前記区画壁を前記隙間領域の全周を囲むように設けたことを特徴とする遊技機。
【００３２】
手段９によれば、区画壁は、隙間領域の全周を囲むように設けられている。かかる構成とすることにより、隙間領域への外部からの侵入を区画壁によって遮蔽することが可能となる。故に、不正行為を好適に抑止することが可能となる。
【００３３】
手段１０．上記手段８又は手段９において、前記区画壁は前記脚部であることを特徴とする遊技機。
【００３４】
手段１０によれば、脚部は隙間領域の内外を区画する壁として形成されている。かかる構成とすることにより、区画壁を脚部と別に設けずとも隙間領域の内外を区画することが可能となり、不正行為を好適に抑止することが可能となる。
【００３５】
手段１１．上記手段１乃至手段１０のいずれかにおいて、前記脚部を、前記制御装置が前記被覆部材より後方に突出しないように形成したことを特徴とする遊技機。
【００３６】
手段１１によれば、脚部は、制御装置が被覆部材より後方に突出しないように形成されている。かかる構成とすることにより、制御装置に遊技球が衝突することを好適に回避することが可能となる。
【００３７】
手段１２．上記手段１乃至手段１１のいずれかにおいて、前記台座部材を透明な合成樹脂材料にて形成したことを特徴とする遊技機。
【００３８】
手段１２によれば、台座部材は透明な合成樹脂材料にて形成されている。かかる構成とすることにより、仮に隙間領域に不正基板等を設置する不正行為がなされたとしても、これを比較的容易に発見することができる。故に、遊技機を設置する遊技場等が不利益を被る機会を低減することが可能となる。なお、ここに言う透明とは、無色透明に限らず有色透明をも含む。
【００３９】
手段１３．上記手段１乃至手段１２のいずれかにおいて、前記細分化部材と前記台座部材とを一体成形したことを特徴とする遊技機。
【００４０】
手段１３によれば、台座部材と細分化部材は一体成形されている。かかる構成とすることにより、台座部材に細分化部材を組み付ける作業等が不要となり、作業効率を高めることが可能となる。
【００４１】
手段１４．上記手段１乃至手段１３のいずれかにおいて、前記脚部を前記台座部材に一体成形したことを特徴とする遊技機。
【００４２】
手段１４によれば、脚部は台座部材に一体成形されている。かかる構成とすることにより、遊技機本体側に脚部を設ける必要がないため、台座部材の汎用性を高めることが可能となる。また、手段１３の特徴的構成にかかる構成を適用した場合には、細分化部材を台座部材に一体成形しているため、脚部を台座部材に設けたとしても成形型が大型化する可能性は低い。故に、遊技機のコストアップをより好適に抑制することが期待できる。
【００４３】
手段１５．上記手段１乃至手段１４のいずれかにおいて、前記制御装置は、遊技を統括管理する主制御基板（主基板）を基板ケース（基板ボックス７０２）に収容してなる主制御装置（主制御装置７０１）であることを特徴とする遊技機。
【００４４】
手段１５によれば、主制御装置を装着する台座部材には、遊技機本体と相対する側に細分化部材が設けられている。主制御装置は、遊技を統括管理する制御装置であるため、不正部品等による不正行為を行われる可能性が高い。そこで、主制御装置を装着する台座部材に細分化部材を設けることにより、主制御装置に不正行為が行われることを抑止することが可能となり、遊技機を設置する遊技場等が不利益を被ることを回避することが可能となる。
【００４５】
手段１６．上記手段１５において、前記台座部材を、前記被覆部材の下方であって前記主制御装置が前記被覆部材から露出する位置に取り付けたことを特徴とする遊技機。
【００４６】
手段１６によれば、台座部材は、被覆部材の下方であって主制御装置が被覆部材から露出する位置に取り付けられている。かかる構成とすることにより、主制御装置の視認性を高めることが可能となる。故に、遊技機を設置する遊技場等において、主制御装置に不正行為がなされていないか否かを確認する作業を容易なものとすることが可能となる。さらにいうと、主制御装置が被覆部材から露出する位置に取り付けられている場合、例えば主制御装置が被覆部材等により覆われている場合と比して、隙間領域が不正基板等を設置するための領域として狙われる可能性が高くなる。故に、かかる構成に、隙間領域を細分化部材により細分化する構成を適用することにより、主制御装置に不正行為が行われることを好適に抑止することが可能となる。
【００４７】
手段１７．上記手段１５において、前記台座部材を、前記主制御装置の一部が前記被覆部材と前後方向に重なる位置に取り付けたことを特徴とする遊技機。
【００４８】
手段１７によれば、台座部材は、主制御装置の一部が被覆部材と前後方向に重なる位置に取り付けられている。かかる場合、主制御装置を台座部材から取り外すためには、主制御装置の全体が露出するように被覆部材を移動させる必要が生じる。故に、主制御装置を不正基盤に交換する不正行為を困難なものとすることが可能となり、主制御装置の視認性を確保しつつ十分な不正対策を講じることができる。
【００４９】
手段１８．上記手段１５乃至手段１７のいずれかにおいて、前記主制御装置からの制御指令に基づいて駆動装置（スピーカ２３ｂ等）の制御を行う従制御基板（音声ランプ制御基板）を従基板ケース（基板ボックス）に収容してなる従制御装置（音声ランプ制御装置８０１）と、
前記遊技機本体の背面側に取り付けられると共に、前記従制御装置を前記遊技機本体の背面側から装着可能な従装着部（基板装着部８１２等）を有する従台座部材（音声ランプ制御取付台８１１）と、
前記遊技機本体又は前記従台座部材の少なくとも一方に、前記遊技機本体と前記従装着部との間に所定の従隙間領域を形成する従脚部（脚部８２１）を、前記主制御装置と前記従制御装置の位置が前後方向にほぼ同じ位置となるように形成し、
前記従台座部材の前記遊技機本体と相対する側に、前記従隙間領域を細分化する従細分化部材（リブ８４２）を設けたことを特徴とする遊技機。
【００５０】
手段１８によれば、主制御装置を装着する台座部材に加えて、主制御装置の制御指令に基づいて駆動装置の制御を行う従制御装置の台座部材にも従細分化部材が設けられている。かかる構成とすることにより、複数の制御装置を遊技機本体の背面側に設置する構成であっても、各種遊技部品の配置に関する設計自由度を高めつつ十分な不正対策を講じることが可能となる。なお、「主制御装置と従制御装置の位置が前後方向にほぼ同じ位置」とは、遊技機本体の前後方向における主制御装置の後面と従制御装置の後面とがほぼ同じ位置に加え、装着部の後面と従装着部の後面とがほぼ同じ位置となることをも含む。
【００５１】
手段１９．上記手段１乃至手段１４のいずれかにおいて、遊技を統括管理する主制御基板（主基板）を基板ケース（基板ボックス７０２）に収容してなる主制御装置（主制御装置７０１）と、該主制御装置からの制御指令に基づいて駆動装置（スピーカ２３ｂ等）の制御を行う従制御基板（音声ランプ制御基板）を従基板ケース（基板ボックス）に収容してなる従制御装置（音声ランプ制御装置８０１）とを備え、前記制御装置は、前記従制御装置であることを特徴とする遊技機。
【００５２】
手段１９によれば、主制御装置の制御指令に基づいて駆動装置の制御を行う従制御装置の台座部材に細分化部材が設けられている。かかる構成とすることにより、複数の制御装置を遊技機本体の背面側に設置する構成であっても、各種遊技部品の配置に関する設計自由度を高めつつ十分な不正対策を講じることが可能となる。
【００５３】
手段２０．上記手段１８又は手段１９において、前記従台座部材を、前記従制御装置が前記被覆部材に覆われる位置に配置したことを特徴とする遊技機。
【００５４】
手段２０によれば、従制御装置は被覆部材に覆われている。かかる場合、従制御装置の視認性の低下が懸念されることとなるが、被覆部材と従制御装置が近接配置される本構成においては、従制御装置の視認性が低下することを抑制することが可能となる。さらにいうと、従制御装置が被覆部材に覆われる位置に配置されている場合、従台座部材と遊技機本体との間に形成される従隙間領域に不正基板等を配置して主制御装置に不正を行うことが考えられ、かかる場合には不正行為の発見が遅れる可能性が生じ得る。故に、かかる構成に上記各手段を適用することにより、十分な不正対策を講じることが可能となる。
【００５５】
なお、上記手段２乃至手段１４の特徴的構成を、上記手段１５乃至手段２０に適用することもでき、その場合には相乗効果が期待できる。
【００５６】
手段２１．取付対象（外枠１１）に開閉可能に支持される支持部（支持機構１３）を有する遊技機本体（本体枠１２、前扉枠１４、遊技盤１６等）と、
遊技に関する制御を司る制御基板（主基板等）を基板ケース（基板ボックス７０２等）に収容してなる制御装置（主制御装置７０１等）と、
前記遊技機本体の背面側に取り付けられると共に、前記制御装置を前記遊技機本体の背面側から装着可能な装着部（基板装着部７１２等）を有する台座部材（主制御取付台７１１等）と、
前記遊技機本体の少なくとも一部を背面側から覆い、前記制御装置に遊技球が衝突することを抑制し得る被覆部材（防護カバー８２）と
を備えた遊技機において、
前記制御装置が前記被覆部材と近接するよう、前記遊技機本体又は前記台座部材の少なくとも一方に、前記遊技機本体と前記装着部との間に所定の隙間領域を形成する脚部（脚部７２１等）を形成し、
前記台座部材の前記遊技機本体と相対する側に、前記隙間領域を細分化する複数の仕切り板部（リブ７４２）を設けたことを特徴とする遊技機。
【００５７】
手段２１によれば、台座部材の装着部に制御装置が装着され、その状態で台座部材が遊技機本体の背面側に取り付けられている。遊技機本体又は台座部材の少なくとも一方には脚部が設けられており、台座部材を遊技機本体の背面側に取り付けた状態では、装着部と遊技機本体との間に所定の隙間領域が形成されるようになっている。かかる構成とすることにより、この隙間領域に例えば各種役物や、中継基板等の基板装置などを設置することが可能となり、各種遊技部品の配置に関する設計自由度を高めることが可能となる。ただし、この隙間領域が悪用されて不正部品等が設置されることなどが懸念されている。
【００５８】
上記懸念は、台座部材が遊技機本体に当接するように、或いは遊技機本体の背面側に設けられる遊技部品に台座部材が当接するように台座部材を取り付ける構成とすれば、好適に解消することが可能である。しかしながら、かかる構成とした場合、台座部材の配置位置を機種毎に見直す必要が生じ、設計負荷や製造負荷が高まる可能性が新たに懸念されることとなる。
【００５９】
一方、本構成では、台座部材に装着された制御装置が被覆部材と近接するように脚部を形成し、台座部材の遊技機本体と相対する側に、隙間領域を細分化する複数の仕切り板部を設けた。これにより、台座部材を可能な限り遊技機の奥寄りに配置することが可能となり、十分な隙間領域を確保することが可能となる。故に、台座部材の配置位置を見直す機会を低減させることが可能となり、上記懸念を好適に解消することが可能となる。また、単に隙間領域の開口部を遮蔽するような既存の構成等とは異なり、隙間領域を比較的小さな複数の領域に区画することが可能となる。故に、遊技機本体と台座部材の間に不正基板を設置するための領域を確保することが困難なものとなり、不正行為を抑止することが可能となる。また、仕切り板部を台座部材と一体成形する構成とすれば、台座部材の剛性を確保することも可能となる。以上の結果、制御装置等を効率良く設置できる構成を実現し、しかもかかる構成における十分な不正対策を講じることができる。
【００６０】
なお、上記手段３乃至手段２０の特徴的構成を、上記手段２１に適用することもでき、その場合には相乗効果が期待できる。
【００６１】
手段２２．取付対象（外枠１１）に開閉可能に支持される支持部（支持機構１３）を有する遊技機本体（本体枠１２、前扉枠１４、遊技盤１６等）と、
遊技に関する制御を司る制御基板（主基板等）を基板ケース（基板ボックス７０２等）に収容してなる制御装置（主制御装置７０１等）と、
前記遊技機本体の背面側に取り付けられると共に、前記制御装置を前記遊技機本体の背面側から装着可能な装着部（基板装着部７１２等）を有する台座部材（主制御取付台７１１等）と、
前記遊技機本体の少なくとも一部を背面側から覆い、前記遊技機本体の背面側に取り付けられる遊技部品（第１図柄表示装置４１等）に遊技球が衝突することを抑制し得る被覆部材（防護カバー８２）と
を備えた遊技機において、
前記制御装置が前記被覆部材と近接するよう、前記遊技機本体又は前記台座部材の少なくとも一方に、前記遊技機本体と前記装着部との間に所定の隙間領域を形成する脚部（脚部７２１等）を形成し、
前記台座部材の前記遊技機本体と相対する側に、前記遊技機本体に向けて延びる複数の柱部材（ボス７６１）を点在させて設けたことを特徴とする遊技機。
【００６２】
手段２２によれば、台座部材の装着部に制御装置が装着され、その状態で台座部材が遊技機本体の背面側に取り付けられている。遊技機本体又は台座部材の少なくとも一方には脚部が設けられており、台座部材を遊技機本体の背面側に取り付けた状態では、装着部と遊技機本体との間に所定の隙間領域が形成されるようになっている。かかる構成とすることにより、この隙間領域に例えば各種役物や、中継基板等の基板装置などを設置することが可能となり、各種遊技部品の配置に関する設計自由度を高めることが可能となる。ただし、この隙間領域が悪用されて不正部品等が設置されることなどが懸念されている。
【００６３】
上記懸念は、台座部材が遊技機本体に当接するように、或いは遊技機本体の背面側に設けられる遊技部品に台座部材が当接するように台座部材を取り付ける構成とすれば、好適に解消することが可能である。しかしながら、かかる構成とした場合、台座部材の配置位置を機種毎に見直す必要が生じ、設計負荷や製造負荷が高まる可能性が新たに懸念されることとなる。
【００６４】
一方、本構成では、台座部材に装着された制御装置が被覆部材と近接するように脚部を形成し、台座部材の遊技機本体と相対する側に、遊技機本体に向けて延びる複数の柱部材を点在させて設けた。これにより、台座部材を可能な限り遊技機の奥寄りに配置することが可能となり、十分な隙間領域を確保することが可能となる。故に、台座部材の配置位置を見直す機会を低減させることが可能となり、上記懸念を好適に解消することが可能となる。また、単に隙間領域の開口部を遮蔽するような既存の構成等とは異なり、不正基板を設置するために必要な領域を柱部材によって遮ることが可能となる。故に、遊技機本体と台座部材の間に不正基板を設置するための領域を確保することが困難なものとなり、不正行為を抑止することが可能となる。以上の結果、制御装置等を効率良く設置できる構成を実現し、しかもかかる構成における十分な不正対策を講じることができる。
【００６５】
なお、上記手段５乃至手段２０の特徴的構成を、上記手段２２に適用することもでき、その場合には相乗効果が期待できる。
【００６６】
以下に、以上の各手段を適用し得る各種遊技機の基本構成を示す。
【００６７】
弾球遊技機：遊技者が操作する操作手段（遊技球発射ハンドル１１１）と、その操作手段の操作に基づいて遊技球を弾いて発射する球発射手段（遊技球発射装置６１）と、その発射された遊技球を所定の遊技領域に導く球通路（球発射通路５３）と、遊技領域内に配置された各遊技部品（一般入賞口３１、可変入賞装置３２、作動口３３、可変表示ユニット３５等）とを備えた遊技機。
【００６８】
可変表示装置を備えた弾球遊技機：遊技者が操作する操作手段（遊技球発射ハンドル１１１）と、その操作手段の操作に基づいて遊技球を弾いて発射する球発射手段（遊技球発射装置６１）と、その発射された遊技球を所定の遊技領域に導く球通路（球発射通路５３）と、遊技領域内に配置された作動口（作動口３３）、可変表示装置（第１図柄表示装置４１）及び可変入賞装置（可変入賞装置３２）とを備え、作動口への遊技球の入球を検知すると可変表示装置に表示される図柄を可変表示し、その停止時の図柄が特定図柄である場合に可変入賞装置を所定態様で開放させるようにした遊技機。
【００６９】
球使用回胴式遊技機：複数の図柄からなる図柄列（具体的には図柄が付されたリール）を変動表示（具体的にはリールの回動）した後に図柄列を確定停止表示する可変表示手段（具体的にはリールユニット）を備え、始動用操作手段（具体的にはスタートレバー）の操作に起因して図柄の変動が開始され、停止用操作手段（具体的にはストップボタン）の操作に起因して又は所定時間経過することにより図柄の変動が停止され、その停止時の確定図柄が特定図柄であることを必要条件として遊技者に有利な特別遊技状態（ボーナスゲーム等）を発生させるようにし、さらに、球受皿を設けてその球受皿から遊技球を取り込む投入処理を行う投入装置と、前記球受皿に遊技球の払出を行う払出装置とを備え、投入装置により遊技球が投入されることにより前記始動用操作手段の操作が有効となるように構成した遊技機。
【００７０】
以下、遊技機の一種であるパチンコ遊技機（以下、「パチンコ機」という）の一実施の形態を、図面に基づいて詳細に説明する。図１はパチンコ機１０の正面図、図２はパチンコ機１０の背面図、図３は遊技領域を形成する遊技盤１６の正面図、図４は遊技盤１６の右側面図、図５は遊技盤１６の背面図、図６は遊技盤１６の要部断面図である。なお、図１では便宜上、パチンコ機１０の遊技領域内の構成を空白としている。
【００７１】
図１に示すように、パチンコ機１０は、取付対象としての外枠１１と、該外枠１１の前部に設けられた本体枠１２とを備えている。外枠１１及び本体枠１２には、パチンコ機１０正面から見て左側の上下両端部に支持機構１３が設けられており、本体枠１２は、この支持機構１３の中心軸線を軸心にして外枠１１に対して開閉可能に支持されている。なお、外枠１１に代わる構成として設置枠体を遊技ホール側に予め設けておき、遊技ホールへのパチンコ機１０の設置に際しては本体枠１２を前記設置枠体に組み付ける構成とすることも可能である。
【００７２】
本体枠１２の前面側には、開閉部材としての前扉枠１４が設けられている。前扉枠１４の中央部には略円形状の窓部１５が形成されている。本体枠１２の後部、すなわち前扉枠１４の奥側であって外枠１１の内側となる部位には、遊技盤１６が着脱可能に装着されている。そして、遊技盤１６の前面部の略中央部分だけが前扉枠１４の窓部１５を通じて本体枠１２の前面側から視認可能な状態となっている。本実施の形態では、これら本体枠１２、前扉枠１４、遊技盤１６等により遊技機本体が構成されている。
【００７３】
前扉枠１４の中央下部であって窓部１５の下方には、遊技球を貯留するための上皿１７が設けられている。また、本体枠１２の前面下部には、左右方向ほぼ中央部において下皿１８が設けられている。下皿１８の側部には、遊技球発射ハンドル１９が設けられている。遊技球発射ハンドル１９は図２に示されている遊技球発射装置２０に連結されており、遊技者が遊技球発射ハンドル１９を回転させることにより、遊技球が遊技盤１６に形成された遊技領域に向けて発射される。
【００７４】
次に、遊技盤１６の構成を図３に基づいて説明する。遊技盤１６には、遊技球発射装置２０により発射された遊技球を遊技盤１６上部に案内する内レール２１及び外レール２２が設けられている。内レール２１は上方の約１／４ほどを除いて略円環状に形成され、外レール２２は内レール２１の上方開放領域を囲むようにかつ内レール２１の左側部と並行するように略半円環状に形成されている。本実施の形態では、遊技盤１６のうち内レール２１及び外レール２２によって囲まれた領域が、遊技球の流下可能な遊技領域となっている。
【００７５】
遊技盤１６には、ルータ加工が施されることによって前後方向に貫通する大小複数の開口部が形成されている。各開口部には一般入賞口３１、可変入賞装置３２、作動口３３、スルーゲート３４及び可変表示ユニット３５等がそれぞれ設けられている。実際には、一般入賞口３１、可変入賞装置３２、作動口３３、スルーゲート３４及び可変表示ユニット３５は木ねじ等により遊技盤表面に取り付けられており、特に可変入賞装置３２及び可変表示ユニット３５は、例えば図６に示すように遊技盤１６の背面側に突出するようにして取り付けられている。本実施の形態では、可変表示ユニット３５が遊技盤３０の略中央に配置され、その下方に作動口３３が配置され、さらにその下方に可変入賞装置３２が配置されている。また、可変表示ユニット３５の左右両側にスルーゲート３４が配置され、遊技盤３０の下部両側に一般入賞口３１がそれぞれ複数配置されている。作動口３３には、所定の条件下で作動状態（開放状態）となる電動役物が付随的に設けられている。この電動役物も図６に示すように遊技盤１６の背面側に突出するようにして取り付けられている。前記一般入賞口３１、可変入賞装置３２及び作動口３３に遊技球が入ると、それぞれに設けられた検出スイッチにより検出され、その検出結果に基づいて上皿１７又は下皿１８に対し所定数の遊技球が払い出される。その他に、遊技領域の最下部にはアウト口３６が設けられており、各種入賞口等に入らなかった遊技球はアウト口３６を通って図示しない球排出路の方へと案内されるようになっている。また、遊技領域には、遊技球の落下方向を適宜分散、調整等するために多数の釘が植設されていると共に、風車３７等の各種部材（役物）が配設されている。
【００７６】
可変表示ユニット３５には、作動口３３への入賞をトリガとして第１図柄（特別図柄）を変動表示する第１図柄表示装置４１が設けられている。可変表示ユニット３５には、第１図柄表示装置４１を囲むようにしてセンターフレーム４３が配設されている。センターフレーム４３の上部には、第１図柄表示装置４１に対応した保留ランプ４４が設けられている。遊技球が作動口３３を通過した回数は最大４回まで保留され、保留ランプ４４の点灯によってその保留個数が表示されるようになっている。なお、保留ランプ４４は、第１図柄表示装置４１の一部で変動表示される構成等であっても良い。また、センターフレーム４３の上部中央には、スルーゲート３４の通過をトリガとして第２図柄（普通図柄）を変動表示する第２図柄表示装置４２が設けられている。センターフレーム４３の下部には、第２図柄表示装置４２に対応した保留ランプ４６が設けられている。遊技球がスルーゲート３４を通過した回数は最大４回まで保留され、保留ランプ４６の点灯によってその保留個数が表示されるようになっている。なお、保留ランプ４６は、前記保留ランプ４４と同様に、第１図柄表示装置４１の一部で変動表示される構成等であっても良い。
【００７７】
第１図柄表示装置４１は液晶ディスプレイを備えた液晶表示装置として構成されており、後述する表示制御装置により表示内容が制御される。第１図柄表示装置４１には、例えば左、中及び右に並べて第１図柄が表示され、これらの図柄が上下方向にスクロールされるようにして可変表示されるようになっている。なお、第１図柄表示装置４１は、液晶ディスプレイ以外に、ＣＲＴ，ドットマトリックス，７セグメント等その他のタイプにより表示画面を構成したものであってもよい。
【００７８】
第２図柄表示装置４２は、例えば「○」、「×」の２種類の第２図柄を表示する表示部４５を備えている。そして、遊技球がスルーゲート３４を通過する毎に表示部４５の表示図柄（第２図柄）が変動し、その変動表示が所定図柄（例えば「○」図柄）で停止した場合に、作動口３３に付随する電動役物が所定時間だけ開放状態となるよう構成されている。具体的な変動態様は、遊技球がスルーゲート３４を通過すると、「○」と「×」の表示が付された部分の背面に内蔵された各ＬＥＤが交互に点灯され、最終的に「○」か「×」の一方に対応したＬＥＤのみが点灯されるというものである。なお、表示部４５は、複数のランプ（ＬＥＤ）を交互に点灯させることにより変動表示される構成の他、第１図柄表示装置４１（液晶表示装置）の一部で変動表示される構成等であってもよい。
【００７９】
可変入賞装置３２は、通常は遊技球が入賞できない又は入賞し難い閉状態になっており、特別遊技状態（以下、大当たりという）の際に遊技球が入賞しやすい所定の開放状態に切り換えられるようになっている。より詳しくは、作動口３３に遊技球が入賞すると第１図柄表示装置４１で第１図柄が変動表示され、その停止後の確定図柄が予め設定した特定の図柄の組合せとなった場合に大当たりが発生する。そして、可変入賞装置３２が所定の開放状態となり、遊技球が入賞し易い状態になるよう構成されている。可変入賞装置３２の開放態様としては、所定時間（例えば３０秒間）の経過又は所定個数（例えば１０個）の入賞を１ラウンドとして、複数ラウンド（例えば１５ラウンド）を上限として可変入賞装置３２が繰り返し開放されるものが一般的である。
【００８０】
前扉枠１４にはその周囲（例えばコーナー部分）に各種ランプ等の発光手段が設けられている。これら発光手段は、図柄の変動表示時や大当たり時等における遊技状態の変化に応じて点灯、点滅のように発光態様が変更制御されることにより、遊技中の演出効果を高める役割を果たす。例えば、窓部１５の周縁に沿ってＬＥＤ等の発光手段を内蔵した環状電飾部５１が左右対称に設けられ、環状電飾部５１の中央であってパチンコ機１０の最上部にはＬＥＤ等の発光手段を内蔵した中央電飾部５２が設けられている。本パチンコ機１０では、中央電飾部５２が大当たりランプとして機能し、大当たり状態時に点灯や点滅を行うことにより大当たり中であることを報知する。また、上皿１７周りにも、同じくＬＥＤ等の発光手段を内蔵した上皿電飾部５３が設けられている。その他、中央電飾部５２の左右側方には、遊技球払出中に点灯する賞球ランプ５４と所定のエラー時に点灯するエラー表示ランプ５５とがそれぞれ設けられている。また、下皿１８の奥壁部には、多数の小孔が集合したスピーカカバー部２３ａが形成されており、その後方に設置されたスピーカ２３ｂの出力音がスピーカカバー部２３ａを通じて前方に発せられるようになっている。
【００８１】
次に、パチンコ機１０の背面の構成を説明する。なお、理解を容易なものとするため、先ず遊技盤１６の背面の構成を説明する。
【００８２】
遊技盤１６の中央に配置される可変表示ユニット３５には、図４〜図６に示すように、センターフレーム４３（図６参照）を背後から覆う合成樹脂製のフレームカバー６１が後方に突出して設けられており、そのフレームカバー６１の後端に、第１図柄表示装置４１と表示制御手段としての表示制御装置２７２とが前後に重ねられた状態で着脱可能に取り付けられている。また、フレームカバー６１には、表示制御装置２７２を覆うようにして、音声ランプ制御装置ユニット８００が設けられている。この音声ランプ制御装置ユニット８００は、音声ランプ制御装置８０１と、台座部材としての音声ランプ制御取付台８１１とを具備する構成となっており、音声ランプ制御取付台８１１上に音声ランプ制御装置８０１が装着されている。音声ランプ制御装置ユニット８００は、何ら工具等を用いずに着脱できるよう構成されるとともに、一部に支軸部を設けて遊技盤１６の裏面に対して展開できる構成となっている。これは、音声ランプ制御装置ユニット８００によって覆われることとなる表示制御装置２７２等を容易に確認することを可能とするための工夫である。具体的に説明すると、音声ランプ制御装置ユニット８００には遊技盤１６の背面から見て右端部に支軸部６６が設けられ、その支軸部６６による軸線を中心に音声ランプ制御装置ユニット８００が回動可能となっている。また、音声ランプ制御装置ユニット８００には、その右端部すなわち支軸部６６の反対側となる開放端側に、ナイラッチ（登録商標）等よりなる締結部６７が設けられており、この締結部６７によって音声ランプ制御装置ユニット８００がパチンコ機１０本体の裏面に沿った状態に保持されるようになっている。
【００８３】
遊技盤１６の裏面であって可変表示ユニット３５の下方には、集合板ユニット６８が設けられている。集合板ユニット６８は、薄板状の枠体として例えばＡＢＳ樹脂等の合成樹脂により成形されるベースを有し、そのベース面が遊技盤１６の裏面に当接されるようにして取り付けられている。集合板ユニット６８には、各種入賞口に入賞した遊技球やアウト口３６を通過した遊技球を回収するための遊技球回収機構や、各種入賞口等への遊技球の入賞を検知するための入賞検知機構などが設けられている。
【００８４】
集合板ユニット６８の裏面には、主制御装置ユニット７００が設けられている。この主制御装置ユニット７００は、主制御装置７０１と、台座部材としての主制御取付台７１１とを具備する構成となっており、主制御取付台７１１上に主制御装置７０１が装着されている。主制御装置ユニット７００は、何ら工具等を用いずに着脱できるよう構成されるとともに、一部に支軸部を設けて遊技盤１６の裏面に対して展開できる構成となっている。具体的に説明すると、主制御装置ユニット７００には遊技盤１６の背面から見て左端部に支軸部７４が設けられ、その支軸部７４による軸線を中心に主制御装置ユニット７００が回動可能となっている。また、主制御装置ユニット７００には、その右端部すなわち支軸部７４の反対側となる開放端側に、ナイラッチ（登録商標）等よりなる締結部７５が設けられており、この締結部７５によって主制御装置ユニット７００がパチンコ機１０本体の裏面に沿った状態に保持されるようになっている。主制御装置ユニット７００は、図４及び図５に示すように、音声ランプ制御装置ユニット８００と上下に並ぶように、且つ遊技盤１６からの奥行き方向の位置が音声ランプ制御装置ユニット８００とほぼ同じとなるように設けられている。より具体的には、主制御装置７０１の表面（パチンコ機１０への設置状態で言えば裏面）と音声ランプ制御装置８０１の表面（パチンコ機１０への設置状態で言えば裏面）とが、遊技盤１６の奥行き方向に対してほぼ同じ位置となるように設けられている。
【００８５】
図２に示すように、遊技盤１６の背面側には裏セット機構８１が設けられている。裏セット機構８１には、遊技盤１６の背面側の一部を覆うようにして、より具体的には、音声ランプ制御装置ユニット８００と主制御装置ユニット７００の一部を覆うようにして、透明樹脂材料にて成形された防護カバー８２が設けられている。裏セット機構８１には、防護カバー８２の周囲を囲むようにして、遊技球を貯留するための遊技球貯留タンク８３をはじめ、タンクレール８４、払出通路８５、及び、該払出通路８５の途中に設けられ、モータ等を具備してなる払出装置８６等が設けられている。主制御装置ユニット７００の下方には、払出制御装置３１１と、発射制御装置３１２及び電源装置３１３が前後に重なるようにして取付台９０に搭載された払出制御装置ユニット９１が設けられている。
【００８６】
払出制御装置３１１及び発射制御装置３１２は制御の中枢をなすＣＰＵや、その他ＲＯＭ、ＲＡＭ、各種ポート等を含む制御基板を具備している。上述した可変入賞装置３２や各入賞口に遊技球が入賞した場合、上記入賞検知機構にて各々検出されると共にその検出結果が主制御装置７０１に取り込まれ、該主制御装置７０１よりその都度の入賞状況に応じた払出指令（遊技球の払出個数）が払出制御装置３１１に送信される。そして、払出制御装置３１１によって払出装置８６が駆動制御され、上皿１７又は下皿１８に対し所定数の遊技球が払い出されるようになっている。また、発射制御装置３１２の発射制御基板により、遊技者による遊技球発射ハンドル１９の操作に従い遊技球発射装置２０の制御が行われる。電源装置３１３の電源基板により、各種制御装置等で要する所定の電源電圧が生成され出力される。
【００８７】
ここで、主制御装置ユニット７００の構成を図７〜図９を用いて説明する。図７は主制御装置ユニット７００の正面図、図８は同ユニット７００を２方向（表側上方及び表側下方）から示す斜視図である。また、主制御装置ユニット７００を構成する各部材のうち、主制御取付台７１１の構成を図９に示す。
【００８８】
主制御装置ユニット７００は、台座部材としての主制御取付台７１１を有し、主制御取付台７１１に主制御装置７０１が搭載されている。主制御装置７０１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板を具備しており、主基板が透明樹脂材料等よりなる被包手段としての基板ボックス７０２に収容されて構成されている。基板ボックス７０２は、略直方体形状のボックスベース（表ケース体）と該ボックスベースの開口部を覆うボックスカバー（裏ケース体）とを備えている。これらボックスベースとボックスカバーとは封印手段としての封印部７０４によって開封不能に連結され、これにより基板ボックス７０２が封印されている。封印部７０４は、基板ボックス７０２の長辺部に５つ設けられ、そのうち少なくとも一つが用いられて封印処理が行われる。
【００８９】
封印部７０４はボックスベースとボックスカバーとを開封不能に結合する構成であれば任意の構成が適用できるが、封印部を構成する長孔に係止爪を挿入することでボックスベースとボックスカバーとが開封不能に結合されるようになっている。封印部７０４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、５つの封印部のうち、少なくとも一つの長孔に係止爪を挿入することにより封印処理が行われる。そして、収容した主基板の不具合発生の際や主基板の検査の際など基板ボックス７０２を開封する場合には、係止爪が挿入された封印部と他の封印部との連結部分を切断する。これにより、基板ボックス７０２のボックスベースとボックスカバーとが分離され、内部の主基板を取り出すことができる。その後、再度封印処理する場合は他の封印部材の長孔に係止爪を挿入する。基板ボックス７０２の開封を行った旨の履歴を当該基板ボックス７０２に残しておけば、基板ボックス７０２を見ることで不正な開封が行われた旨が容易に発見できる。
【００９０】
また、基板ボックス７０２において、封印部７０４と反対側の長辺部には、その封印部７０４とは別に基板ボックス７０２を封印するための封印部７０５が左右２カ所に設けられている。この封印部７０５は、本パチンコ機１０が工場で製造された後、遊技ホール等まで搬送されるまでの不正行為を抑止するための搬送用封印部であり、パチンコ機１０の工場出荷時に同封印部７０５に対する封印処理が施される。そして、同パチンコ機１０のホール搬送後において主制御装置７０１の検査確認等の目的で封印部７０５の封印が解除され基板ボックス７０２が開放された場合には、再度使われることはなくそのまま放置される。遊技ホールでの設置後は、前述の封印部７０４で封印処理が行われることによって基板ボックス７０２の不正な開封が防止される。
【００９１】
基板ボックス７０２の一方の短辺部には、その側方に突出するようにして複数（本実施の形態では４つ）の結合片７０６が設けられている。詳細は後述するが、この結合片７０６は、基板ボックス７０２と主制御取付台７１１との間で封印処理を施すために用いられる。
【００９２】
図示は省略するが、基板ボックス７０２の背面は平坦面となっており、その背面には、円柱状の突起が１カ所に設けられるとともに、締結部材としての回動操作式の係止具が１カ所に設けられている。突起は、機種毎に存在する主制御装置７０１に個別の特定位置（例えば、１０カ所の規定ポジションのうちいずれか）に形成されている。また、係止具は、基板ボックス７０２の裏面に立設された支軸により回動可能となっており、該係止具は９０度の角度範囲内で回動となっている。この場合、係止具は、横一文字状となる位置と縦一文字状となる位置との間で回動される。
【００９３】
次に、主制御取付台７１１の構成を図９に基づいて説明する。主制御取付台７１１はポリカーボネート樹脂等の合成樹脂製であり、全体に無色透明となっている。ただし、主制御取付台７１１は緑や青等に着色されて不透明又は半透明であっても良い。主制御取付台７１１には平坦板状をなす基板装着部７１２が設けられている。基板装着部７１２は、主制御装置７０１を装着するための主制御装置装着部に相当し、主制御装置７０１の基板ボックス７０２の形状に合わせて横長の略矩形状に形成されている。基板装着部７１２では、主制御取付台７１１の表側（パチンコ機１０への設置状態で言えばパチンコ機背面側）が基板搭載面７１２ａとなっている。
【００９４】
基板装着部７１２には、その上下各端部に基板搭載面７１２ａ側に起立した起立部７１３，７１４が形成されるとともに、左右の各端部に同じく基板搭載面７１２ａ側に起立した起立部７１５，７１６が形成されている。左右の各起立部７１５，７１６の先端部には、それぞれ内側を向くようにして爪部が形成されている。基板装着部７１２において起立部７１５，７１６の基端部には、細幅のスリット孔７１７，７１８が形成されている。
【００９５】
また、基板装着部７１２には、複数（本実施の形態では１０個）の位置合わせ孔７１９が形成されている。位置合わせ孔７１９はそれぞれ切除可能な切除片を有する孔部となっており、都度使用される主制御装置７０１に応じて複数の位置合わせ孔７１９のうち１つの切除片が打ち抜かれ開放される。本構成によれば、基板装着部７１２に本来装着されるべき主制御装置７０１を装着しようとする場合には、同主制御装置７０１の基板ボックス背面に設けた突起の位置と、開放された位置合わせ孔７１９の位置とが一致し、主制御装置７０１が支障なく装着できる。これに対し、基板装着部７１２に間違った主制御装置７０１を装着しようとする場合には、同主制御装置７０１の突起の位置と、開放された位置合わせ孔７１９の位置とが不一致となり、主制御装置７０１の装着が不可となっている。これにより、基板装着部７１２に装着されるべき主制御装置７０１の組み付け間違いが防止されるようになっている（機種間違い、型式間違いを含む）。
【００９６】
また、基板装着部７１２には横長形状の貫通孔７２０が形成されている。この貫通孔７２０は、主制御装置７０１の背面に設けられた係止具を挿通させるための孔部である。
【００９７】
主制御装置７０１を基板装着部７１２に搭載する際には、横長となる向きに主制御装置７０１が配置される。このとき、主制御装置７０１の下辺側を起立部７１４上に載せた状態で、基板装着部７１２の貫通孔７２０に主制御装置７０１の係止具を挿通させるとともに、位置合わせ孔７１９（複数の同孔のうち開放された孔）に主制御装置７０１の突起を挿通させるようにして主制御装置７０１を基板装着部７１２上に装着する。そして、基板装着部７１２の背後にて係止具を９０度回動させてロック位置に操作する。この係止具の回動操作によって、基板装着部７１２上にて取り外し不能に主制御装置７０１が装着できる。この場合、主制御装置ユニット７００の裏面側から再び係止具を回動操作してアンロック位置に戻さなければ（ロック解除しなければ）、主制御装置７０１を取り外すことができないため、基板取り外し等の不正行為に対して抑止効果が得られる。
【００９８】
基板装着部７１２には、基板搭載面７１２ａとは逆側（主制御取付台７１１の背面側）に延びる脚部７２１が設けられている。この脚部７２１は、左右の側辺部７２１ａ，７２１ｂとその側辺部７２１ａ，７２１ｂ間に設けられる下辺部７２１ｃ及び上辺部７２１ｄとからなる。脚部７２１は、図６及び図９に示すように、各辺部７２１ａ〜７２１ｄが壁状に形成されると共に主制御装置７０１の表面が防護カバー８２と近接するように設けられており、基板装着部７１２の背後部分への侵入を阻止するための遮蔽部ともなっている。つまり、本主制御取付台７１１を遊技盤１６の背面側に取り付けた状態では、図６に示すように基板装着部７１２の背後に隙間領域Ａ１が形成されるが、脚部７２１によって隙間領域Ａ１の内外が区画されており、その隙間領域Ａ１に対する不正道具等の侵入が阻止されるようになっている。また、基板装着部７１２の隙間領域Ａ１における不正基板等の取り付けも阻止できる。
【００９９】
脚部７２１において、一方の側辺部７２１ａには、上下一対の軸受け部７２４が設けられており、この軸受け部７２４が本主制御取付台７１１の装着相手側（遊技盤１６側）の支軸部７４によって軸支されることで、本主制御取付台７１１（主制御装置ユニット７００）が遊技盤１６に対して回動可能に片持ち支持されるようになっている。また、同じく側辺部７２１ａには、基板装着部７１２側の端部に複数（本実施の形態では４つ）の被結合片７２５が形成されている。被結合片７２５は易破断部を有しており、その易破断部が破断されることで主制御取付台７１１から切除されるようになっている。同側辺部７２１ａは、主制御装置ユニット７００を片持ち支持するための部位であるため、その補強を目的の１つとして側辺部７２１ａの内側面には複数のリブ７２６が設けられている。また、主制御取付台７１１の図９における左部には、電気配線等を本主制御取付台７１１から上下に案内するための切欠部７２８が形成されている。
【０１００】
ここで、基板装着部７１２上に主制御装置７０１を装着した状態では、主制御装置７０１の結合片７０６と主制御取付台７１１側の被結合片７２５とが前後で重なるようにして合致する。この場合、４組の結合片７０６及び被結合片７２５のうち、１つに封印ネジがねじ込まれることで、主制御装置７０１（基板ボックス７０２）と主制御取付台７１１との間で封印処理が施される。図示は省略するが、封印ネジは、ドライバ等の締付け工具による締付け時に所定の締付け力以上の負荷がかかると頭部が破断される、いわゆる破断ネジであり、結合片７０６及び被結合片７２５の封印時にネジ頭部が破断されることで、その後はドライバ等によるネジの緩め作業が不可となる。この場合、封印を解除するには、被結合片７２５の易破断部を破断しなければならず、その破断により封印解除の履歴が残るようになっている。
【０１０１】
破断ネジに代えて、所定の締付け方向にはねじ回しができるが、その逆の緩め方向にはねじ回しができない、いわゆる一方向ネジ（ワンウェイネジとも称される）を用いることも可能である。なお、基板装着部７１２には、封印ネジのストックを備えておくための封印ネジ備蓄部７２９が設けられている。
【０１０２】
他方の側辺部７２１ｂには、締結具としてのナイラッチ７３２（図５参照）を取り付けるためのナイラッチ取付部７３１が上下２カ所に設けられている。このナイラッチ取付部７３１に取り付けられるナイラッチ７３２によって、遊技盤１６に対する本主制御取付台７１１（主制御装置ユニット７００）の締結がなされるようになっている。
【０１０３】
主制御取付台７１１の背面側、より詳しくは基板装着部７１２と脚部７２１とによって囲まれる領域には、格子状の多数のリブ７４２が主制御取付台７１１と一体成形されている。そして、その多数のリブ７４２により、空間状の一つ一つの領域が比較的大きくならないようになっている。つまり、隙間領域Ａ１（図６参照）がリブ７４２によって区画されている、或いは細分化されているとも言える。また、多数のリブ７４２を一体成形することにより、隙間領域Ａ１の細分化といった所望とする効果を得つつ、横長に形成された基板装着部７１２の剛性を確保することが可能となる。この場合、主制御取付台７１１が透明材料により成形されているために、仮にリブ７４２の一部が切除されたとしても、その発見が容易となっている。
【０１０４】
図９の（ａ）に示すように、主制御取付台７１１の背面側には矩形状の凹部７５１が形成されている。この凹部７５１は、本ユニット７００の装着相手側（遊技盤１６側）との兼ね合いで設けられるものであり、同凹部７５１によって遊技盤１６背面の突起状の部位又は部材との干渉が回避できるようになっている。具体的には、図６に示すように、遊技盤１６に設けられた電動役物を覆うようにして形成された集合板ユニット６８や、その背面側に設けられた中継基板及びコネクタとの干渉を凹部７５１により回避している。また、凹部７５１と対応する位置に形成されたリブ７４２も同様に、集合板ユニット６８との干渉を回避する高さで形成されている。なお、凹部７５１及びリブ７４２は、隙間領域Ａ１に不正基板を配置することができない程度に集合板ユニット６８と近接するように形成されている。具体的には、集合板ユニット６８との間隔は約５ｍｍとなるように、中継基板及びコネクタとの間隔は約１０ｍｍとなるように形成されている。中継基板及びコネクタとの間隔を集合板ユニット６８との間隔と比して大きくすることにより、コネクタに接続される電気配線等の取り回しを比較的容易なものとすることが可能となる。さらにいうと、主制御取付台７１１の背面側は、中継基板及びコネクタとの干渉を回避させつつ、その左右両側部を集合板ユニット６８に向けて張出形成されているとも言える。かかる構成とすることにより、本体枠１２を外枠１１から開放させた際に中継基板等により死角となる部位（すなわち中継基板より開閉中心側の領域）に不正基板等を配置されることを回避することが可能となり、好適に不正行為を抑止することができる。ちなみに、リブ７４２は、コネクタの挿入部を避けるようにして形成されている。加えて、図示は省略するが、主制御取付台７１１の背面側には、主制御取付台７１１に主制御装置７０１を装着した際において主制御装置７０１側の係止具との干渉を回避し、かつ当該係止具の回動操作を可能とするための切欠部が形成されている。
【０１０５】
また、主制御装置７０１を主制御取付台７１１の基板装着部７１２に装着した状態において、基板装着部７１２の背面側では、主制御装置７０１の基板ボックス７０２に設けた係止具の回動操作が行われる。したがって、この係止具による係止作用によって、主制御装置７０１の取り外しが不可能となっている。更に、主制御装置７０１を基板装着部７１２上に装着した状態では、主制御装置７０１の結合片７０６と主制御取付台７１１側の被結合片７２５とが前後で重なるようにして合致する。この場合、４組の結合片７０６及び被結合片７２５のうち、１つに封印ネジがねじ込まれることで、主制御装置７０１と主制御取付台７１１との間で封印処理が施される。
【０１０６】
主制御装置ユニット７００を遊技盤１６に装着する際には、上記の如く主制御装置７０１、主制御取付台７１１を一体化した後、主制御取付台７１１の軸受け部７２４を遊技盤１６側の支軸部７４に軸支させるとともに、その支軸部７４を中心に同ユニット７００を回動させ、主制御取付台７１１の脚部７２１の先端部を遊技盤１６の背面側（より詳しくは集合板ユニット６８）に当接させる。そして、ナイラッチ７３２によって主制御装置ユニット７００を遊技盤１６に固定する。その装着状態が図５に示す状態である。つまり、主制御装置７０１は、遊技盤１６の背面と主基板の電子部品搭載面とがほぼ平行となるように、遊技盤１６に対して取り付けられている。
【０１０７】
次に、音声ランプ制御装置ユニット８００のうち、音声ランプ制御取付台８１１の構成を図１０に基づいて説明する。
【０１０８】
音声ランプ制御取付台８１１の説明に先立ち音声ランプ制御装置８０１の概略を説明すると、音声ランプ制御装置８０１は、主たる制御を司るＣＰＵ、スピーカ２３ａやランプ類の駆動データを記憶したＲＯＭ、遊技の進行に応じた必要なデータを記憶するＲＡＭ、各種機器との連絡をとるポート、時間計数や同期を図る場合などに使用されるクロックパルス発生回路等を含む音声ランプ制御基板を具備しており、音声ランプ制御基板が透明樹脂材料等よりなる被包手段としての基板ボックスに収容されて構成されている。基板ボックスは、略直方体形状のボックスベース（表ケース体）と該ボックスベースの開口部を覆うボックスカバー（裏ケース体）とを備えている。但し、音声ランプ制御装置８０１は、主制御装置７０１と異なり封印手段を備えておらず、封印処理がなされていない。
【０１０９】
音声ランプ制御取付台８１１はポリカーボネート樹脂等の合成樹脂製であり、全体に無色透明となっている。ただし、音声ランプ制御取付台８１１は緑や青等に着色されて不透明又は半透明であっても良い。音声ランプ制御取付台８１１には平坦板状をなす基板装着部８１２が設けられている。基板装着部８１２は、音声ランプ制御装置８０１を装着するための音声ランプ制御装置装着部に相当し、音声ランプ制御装置８０１の基板ボックスの形状に合わせて横長の略矩形状に形成されている。基板装着部８１２では、音声ランプ制御取付台８１１の表側（パチンコ機１０への設置状態で言えばパチンコ機背面側）が基板搭載面８１２ａとなっている。
【０１１０】
基板装着部８１２には、基板搭載面８１２ａとは逆側（表示制御取付台８１１の背面側）に延びる脚部８２１が設けられている。この脚部８２１は、左右の側辺部８２１ａ，８２１ｂとその側辺部８２１ａ，８２１ｂ間に設けられる下辺部８２１ｃ及び上辺部８２１ｄとからなる。脚部８２１は、図６及び図１０に示すように、各辺部８２１ａ〜８２１ｄが壁状に形成されると共に音声ランプ制御装置８０１の表面が防護カバー８２と近接するように設けられており、さらには、音声ランプ制御装置８０１の表面と主制御装置７０１の表面がパチンコ機１０の前後方向においてほぼ同じ位置となるように設けられている。換言すれば、脚部８２１は、基板装着部８１２の背後部分への侵入を阻止するための遮蔽部ともなっている。つまり、本音声ランプ制御取付台８１１を遊技盤１６の背面側に取り付けた状態では、図６に示すように基板装着部８１２の背後に隙間領域Ａ２が形成されるが、脚部８２１によってその隙間領域Ａ２の内外が区画されており、その隙間領域Ａ２に対する不正道具等の侵入が阻止されるようになっている。また、基板装着部８１２の隙間領域Ａ２における不正基板等の取り付けも阻止できる。
【０１１１】
脚部８２１において、一方の側辺部８２１ｂには、上下一対の軸受け部８２４が設けられており、この軸受け部８２４が本音声ランプ制御取付台８１１の装着相手側（遊技盤１６側）の支軸部６６によって軸支されることで、本音声ランプ制御取付台８１１（音声ランプ制御装置ユニット８００）が遊技盤１６に対して回動可能に片持ち支持されるようになっている。
【０１１２】
他方の側辺部８２１ａには、締結具としてのナイラッチ８３２（図５参照）を取り付けるためのナイラッチ取付部８３１が上下２カ所に設けられている。このナイラッチ取付部８３１に取り付けられるナイラッチ８３２によって、遊技盤１６に対する本音声ランプ制御取付台８１１（音声ランプ制御装置ユニット８００）の締結がなされるようになっている。
【０１１３】
音声ランプ制御取付台８１１の背面側、より詳しくは基板装着部８１２と脚部８２１とによって囲まれる領域には、格子状の多数のリブ８４２が音声ランプ制御取付台８１１と一体成形されており、その多数のリブ８４２により、空間状の一つ一つの領域が比較的大きくならないようになっている。つまり、隙間領域Ａ２（図６参照）がリブ８４２によって区画されている、或いは細分化されているとも言える。また、多数のリブ８４２を一体成形することにより、隙間領域Ａ２の細分化といった所望とする効果を得つつ、横長に形成された基板装着部８１２の剛性を確保することが可能となる。この場合、音声ランプ制御取付台８１１が透明材料により成形されているために、仮にリブ８４２の一部が切除されたとしても、その発見が容易となっている。
【０１１４】
図１０の（ａ）に示すように、音声ランプ制御取付台８１１の背面側には矩形状の凹部８５１が形成されている。この凹部８５１は、本ユニット８００の装着相手側（遊技盤１６側）との兼ね合いで設けられるものであり、同凹部８５１によって遊技盤１６背面の突起状の部位又は部材との干渉が回避できるようになっている。具体的には、図６に示すように、遊技盤１６に設けられた表示制御装置２７２との干渉を凹部８５１により回避している。また、凹部８５１と対応する位置に形成されたリブ８４２も同様に、表示制御装置２７２との干渉を回避する高さで形成されている。なお、凹部８５１及びリブ８４２は、隙間領域Ａ２に不正基板を配置することができない程度に表示制御装置２７２と近接するように形成されている。さらにいうと、音声ランプ制御取付台８１１の背面側は、表示制御装置２７２との干渉を回避させつつ、その左右両側部を遊技盤１６に向けて張出形成されているとも言える。かかる構成とすることにより、本体枠１２を外枠１１から開放させた際に表示制御装置２７２により死角となる部位（すなわち表示制御装置２７２より開閉中心側の領域）に不正基板等を配置されることを回避することが可能となり、好適に不正行為を抑止することができる。
【０１１５】
音声ランプ制御装置ユニット８００を遊技盤１６に装着する際には、音声ランプ制御装置８０１と音声ランプ制御取付台８１１を一体化した後、音声ランプ制御取付台８１１の軸受け部８２４を遊技盤１６側の支軸部６６に軸支させるとともに、その支軸部６６を中心に同ユニット８００を回動させ、音声ランプ制御取付台８１１の脚部８２１の先端部を遊技盤１６の背面側（より詳しくはフレームカバー６１）に当接させる。そして、ナイラッチ８３２によって音声ランプ制御装置ユニット８００を遊技盤１６に固定する。その装着状態が図５に示す状態である。つまり、音声ランプ制御装置８０１は、遊技盤１６の背面と音声ランプ制御基板の電子部品搭載面とがほぼ平行となるように、遊技盤１６に対して取り付けられている。
【０１１６】
次に、本パチンコ機１０の電気的構成について、図１１のブロック図に基づいて説明する。
【０１１７】
主制御装置７０１には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、割込回路やタイマ回路、データ送受信回路などの各種回路が内蔵されている。主制御装置７０１は、本パチンコ機１０における主要な制御（利益に絡む演算処理全般）を実施するためのメインコントローラであり、その動作主体たるＣＰＵ５０１は、遊技球の入賞判定処理、所定の始動入賞をトリガとする大当たり抽選処理、大当たり当選時の可変入賞装置３２（いわゆる大入賞アタッカ）の開放処理、遊技球の払出指令を出力する払出指令処理等を適宜実行する。つまり、主制御装置７０１は、遊技を統括管理する制御装置であると言える。
【０１１８】
ＲＡＭ５０３は、パチンコ機１０の電源の遮断後においても電源装置３１３からバックアップ電圧が供給されてデータを保持（バックアップ）できる構成となっており、ＲＡＭ５０３には、各種のデータ等を一時的に記憶するためのメモリやエリアの他に、バックアップエリア５０３ａが設けられている。
【０１１９】
バックアップエリア５０３ａは、停電などの発生により電源が遮断された場合において、電源遮断時（停電発生時を含む。以下同様）のスタックポインタや、各レジスタ、Ｉ／Ｏ等の値を記憶しておくためのエリアであり、電源投入時（停電解消による電源投入を含む。以下同様）には、バックアップエリア５０３ａの情報に基づいてパチンコ機１０の状態が電源遮断前の状態に復帰できるようになっている。バックアップエリア５０３ａへの書き込みはＮＭＩ割込み処理によって電源遮断時に実行され、バックアップエリア５０３ａに書き込まれた各値の復帰は電源投入時のメイン処理において実行される。なお、ＣＰＵ５０１のＮＭＩ端子（ノンマスカブル割込端子）には、停電等の発生による電源遮断時に、停電監視回路５４２からの停電信号ＳＧ１が入力されるように構成されており、停電の発生により停電時処理としてのＮＭＩ割込み処理が即座に実行される。
【０１２０】
主制御装置７０１のＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、表示制御装置２７２や、その他図示しないスイッチ群などが接続されている。
【０１２１】
払出制御装置３１１は、払出装置８６に内蔵された払出モータにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１２２】
払出制御装置３１１のＲＡＭ５１３は、主制御装置７０１のＲＡＭ５０３と同様に、パチンコ機１０の電源の遮断後においても電源装置３１３からバックアップ電圧が供給されてデータを保持（バックアップ）できる構成となっており、ＲＡＭ５１３には、各種のデータ等を一時的に記憶するためのメモリやエリアの他に、バックアップエリア５１３ａが設けられている。
【０１２３】
バックアップエリア５１３ａは、停電などの発生により電源が遮断された場合において、電源遮断時のスタックポインタや、各レジスタ、Ｉ／Ｏ等の値を記憶しておくためのエリアであり、電源投入時には、このバックアップエリア５１３ａの情報に基づいてパチンコ機１０の状態が電源遮断前の状態に復帰できるようになっている。バックアップエリア５１３ａへの書き込みはＮＭＩ割込み処理によって電源遮断時に実行され、バックアップエリア５１３ａに書き込まれた各値の復帰は電源投入時のメイン処理において実行される。なお、主制御装置７０１のＣＰＵ５０１と同様、ＣＰＵ５１１のＮＭＩ端子にも、停電等の発生による電源遮断時に停電監視回路５４２から停電信号ＳＧ１が入力されるように構成されており、停電の発生により、ＮＭＩ割込み処理が即座に実行されるようになっている。
【０１２４】
払出制御装置３１１のＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置７０１、発射制御装置３１２、払出装置８６などがそれぞれ接続されている。
【０１２５】
発射制御装置３１２は、遊技球発射装置２０による遊技球の発射を許可又は禁止するものであり、遊技球発射装置２０は、所定条件が整っている場合に駆動が許可される。具体的には、払出制御装置３１１から発射許可信号が出力されていること、遊技者が遊技球発射ハンドル１９に触れていることをセンサ信号により検出していること、発射を停止させるための発射停止スイッチが操作されていないことを条件に、遊技球発射装置２０が駆動され、遊技球発射ハンドル１９の操作量に応じた強さで遊技球が発射される。
【０１２６】
表示制御装置２７２は、第１図柄表示装置４１における第１図柄（特別図柄）の変動表示と、第２図柄表示装置４２における第２図柄（普通図柄）の変動表示とを制御するものである。表示制御装置２７２は、ＣＰＵ５２１と、ＲＯＭ（プログラムＲＯＭ）５２２と、ワークＲＡＭ５２３と、ビデオＲＡＭ５２４と、キャラクタＲＯＭ５２５と、画像コントローラ５２６と、入力ポート５２７と、２つの出力ポート５２８，５２９と、バスライン５３０，５３１とを備えている。入力ポート５２７の入力側には主制御装置７０１の出力側が接続され、入力ポート５２７の出力側には、ＣＰＵ５２１、ＲＯＭ５２２、ワークＲＡＭ５２３、画像コントローラ５２６が接続されると共にバスライン５３０を介して出力ポート５２８が接続されている。出力ポート５２８の出力側には第２図柄表示装置４２（表示部４５）や、音声ランプ制御装置８０１が接続されている。また、画像コントローラ５２６にはバスライン５３１を介して出力ポート５２９が接続されており、その出力ポート５２９の出力側には第１図柄表示装置４１が接続されている。
【０１２７】
表示制御装置２７２のＣＰＵ５２１は、主制御装置７０１から送信される図柄表示コマンドに基づいて第１図柄表示装置４１及び第２図柄表示装置４２の表示を制御する。ＲＯＭ５２２は、ＣＰＵ５２１により実行される各種の制御プログラムや固定値データを記憶するためのメモリであり、ワークＲＡＭ５２３は、ＣＰＵ５２１による各種プログラムの実行時に使用されるワークデータやフラグを一時的に記憶するためのメモリである。
【０１２８】
ビデオＲＡＭ５２４は、第１図柄表示装置４１に表示される表示データを記憶するためのメモリであり、ビデオＲＡＭ５２４の内容を書き替えることにより、第１図柄表示装置４１の表示内容が変更される。キャラクタＲＯＭ５２５は、第１図柄表示装置４１に表示される図柄などのキャラクタデータを記憶するためのメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを、キャラクタＲＯＭ５２５から所定のタイミングで読み出して第１図柄表示装置４１に表示させるものである。
【０１２９】
電源装置３１３は、パチンコ機１０の各部に電源を供給するための電源部５４１と、停電等による電源遮断を監視する停電監視回路５４２と、図示しないＲＡＭ消去スイッチに接続されてなるＲＡＭ消去スイッチ回路５４３とを備えている。電源部５４１は、図示しない電源経路を通じて、主制御装置７０１や払出制御装置３１１等に対して各々に必要な動作電源を供給する。その概要としては、電源部５４１は、外部より供給される交流２４ボルト電源を取り込み、各種スイッチやモータ等を駆動するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置７０１や払出制御装置３１１等に対して供給する。なお、発射制御装置３１２に対しては払出制御装置３１１を介して動作電源（＋１２Ｖ電源、＋５Ｖ電源等）が供給される。
【０１３０】
停電監視回路５４２は、停電等の発生による電源遮断時に、主制御装置７０１のＣＰＵ５０１及び払出制御装置３１１のＣＰＵ５１１の各ＮＭＩ端子へ停電信号ＳＧ１を出力するための回路である。停電監視回路５４２は、電源部５４１から出力される最大電圧である直流安定２４ボルトの電圧を監視し、この電圧が２２ボルト未満になった場合に停電（電源遮断）の発生と判断して、停電信号ＳＧ１を主制御装置７０１及び払出制御装置３１１へ出力する。停電信号ＳＧ１の出力によって、主制御装置７０１及び払出制御装置３１１は、停電の発生を認識し、ＮＭＩ割込み処理を実行する。なお、電源部５４１は、直流安定２４ボルトの電圧が２２ボルト未満になった後においても、ＮＭＩ割込み処理の実行に充分な時間の間、制御系の駆動電圧である５ボルトの出力を正常値に維持するように構成されている。よって、主制御装置７０１及び払出制御装置３１１は、ＮＭＩ割込み処理を正常に実行し完了することができる。
【０１３１】
ＲＡＭ消去スイッチ回路５４３は、図示しないＲＡＭ消去スイッチのスイッチ信号を取り込み、そのスイッチの状態に応じて主制御装置７０１及び払出制御装置３１１のバックアップデータをクリアするためのＲＡＭ消去信号ＳＧ２を出力する回路である。ＲＡＭ消去スイッチが押下された際、ＲＡＭ消去スイッチ回路５４３は、主制御装置７０１及び払出制御装置３１１に対してＲＡＭ消去信号ＳＧ２を出力する。これにより、ＲＡＭ消去スイッチが押された状態でパチンコ機１０の電源が投入されると、主制御装置７０１及び払出制御装置３１１においてそれぞれのバックアップエリア５０３ａ，５１３ａのデータがクリアされる。
【０１３２】
以上本実施の形態によれば、以下の優れた効果を奏する。
【０１３３】
主制御取付台７１１の基板搭載面７１２ａに主制御装置７０１が装着され、その状態で主制御取付台７１１が遊技盤１６の背面側に取り付けられており、音声ランプ制御取付台８１１の基板搭載面８１２ａに音声ランプ制御装置８０１が装着され、その状態で音声ランプ制御取付台８１１が遊技盤１６の背面側に取り付けられている。また、各制御取付台７１１，８１１の背面側には脚部７２１，８２１が設けられており、各制御取付台７１１，８１１を遊技盤１６に取り付けた状態では、基板装着部７１２，８１２と遊技盤１６との間に所定の隙間領域Ａ１，Ａ２が形成されるようになっている。かかる構成とすることにより、この隙間領域Ａ１，Ａ２に例えば可変入賞装置３２や電動役物等の各種役物や、中継基板等の基板装置などを設置することが可能となり、各種遊技部品の配置に関する設計自由度を高めることが可能となる。ただし、この隙間領域Ａ１，Ａ２が悪用されて不正部品等が設置されることなどが懸念されている。
【０１３４】
上記懸念は、各制御装置７０１，８０１が遊技盤１６の背面に当接するように、或いは遊技盤１６の背面側に設けられる遊技部品に各制御装置７０１，８０１が当接するように各制御装置７０１，８０１を取り付ける構成とすれば、好適に解消することが可能である。しかしながら、かかる構成とした場合、各制御装置７０１，８０１の配置位置を機種毎に見直す必要が生じ、設計負荷や製造負荷が高まる可能性が新たに懸念されることとなる。
【０１３５】
一方、本構成では、各制御取付台７１１，８１１に装着された制御装置７０１，８０１が防護カバー８２と近接するように脚部７２１，８２１を形成し、各制御取付台７１１，８１１の遊技盤１６と相対する側に、隙間領域Ａ１，Ａ２を細分化するリブ７４２，８４２を設けた。これにより、各制御取付台７１１，８１１を可能な限りパチンコ機１０の奥寄りに配置することが可能となり、十分な隙間領域Ａ１，Ａ２を確保することが可能となる。故に、各制御取付台７１１，８１１の配置位置を見直す機会を低減させることが可能となり、上記懸念を好適に解消することが可能となる。また、各制御装置７０１，８０１をパチンコ機１０の奥寄りに配置することにより、遊技球の移動等によって生じるノイズの影響を各制御装置７０１，８０１が受けることを抑制することが可能となる。さらに、単に隙間領域Ａ１，Ａ２の開口部を遮蔽するような既存の構成等とは異なり、隙間領域Ａ１，Ａ２そのものをリブ７４２，８４２により縮小させることができ、これら隙間領域Ａ１，Ａ２を利用して不正基板等を設置する不正行為などが抑制できる。上記既存の構成においては、各制御取付台を遊技盤１６から開放した後にその隙間領域に不正基板等を設置される可能性があるからである。以上の結果、制御装置等を効率良く設置できる構成を実現し、しかもかかる構成における十分な不正対策を講じることができる。さらにいうと、防護カバー８２を透明樹脂材料にて成形すると共に表示制御装置８０１が防護カバー８２と近接するように脚部８２１を形成することにより、防護カバー８２により表示制御装置８０１を覆う構成にあって、表示制御装置８０１の視認性が低下することを抑制することも可能となる。
【０１３６】
各制御取付台７１１，８１１の背面側には、複数のリブ７４２，８４２が格子状に設けられている。かかる構成とすることにより、隙間領域Ａ１，Ａ２を細分化することが可能となり、各領域の一つ一つを比較的小さなものに区画することが可能となる。故に、遊技盤１６と各制御取付台７１１，８１１の間に不正基板を設置するための領域を確保することが困難なものとなり、不正行為を抑止することが可能となる。また、リブ７４２，８４２を設けることにより、横長に形成された基板装着部７１２，８１２の剛性を確保することも可能となる。
【０１３７】
遊技盤１６の背面側にはフレームカバー６１や表示制御装置２７２、集合板ユニット６８などの役物や制御装置などが設けられるが、各制御取付台７１１，８１１に凹部７５１，８５１を設けると共に、リブ７４２，８４２をこれら凹部７５１，８５１に応じた形で設けることにより、各制御取付台７１１，８１１とこれら遊技部品との干渉が回避できるようになっている。また、このようにリブ７４２，８４２や凹部７５１，８５１を遊技部品と近接するように設けることにより、遊技盤１６と各制御取付台７１１，８１１の間に不正基板を設置するための領域を確保することが困難なものとなり、不正行為を抑止することが可能となる。
【０１３８】
脚部７２１，８２１を隙間領域Ａ１，Ａ２を囲むように設けることにより、隙間領域Ａ１，Ａ２への外部からの侵入を脚部７２１，８２１によって阻害することが可能となる。脚部７２１，８２１により隙間領域Ａ１，Ａ２の内外を区画することができるからである。故に、不正行為を好適に抑止することが可能となる。また、主制御装置７０１と音声ランプ制御装置８０１が防護カバー８２と近接するように脚部７２１，８２１の高さを調節して設け、防護カバー８２より後方に各制御装置７０１，８０１が突出しないようにすることにより、仮に遊技球貯留タンク８３から遊技球が下方にこぼれ落ちたとしても、防護カバー８２によって各制御装置７０１，８０１に遊技球が衝突することを好適に回避することが可能となる。
【０１３９】
各制御取付部７１１，８１１を透明な合成樹脂材料により成形することにより、仮に隙間領域Ａ１，Ａ２に不正基板等を設置する不正行為やリブ７４２，８４２の一部を切除する不正行為がなされたとしても、これを比較的容易に発見することができる。故に、パチンコ機１０を設置する遊技場等が不利益を被る機会を低減することが可能となる。
【０１４０】
リブ７４２，８４２を各制御取付部７１１，８１１に一体成形することにより、各制御取付部７１１，８１１にリブ７４２，８４２を組み付ける作業等が不要となり、作業効率を高めることが可能となる。さらに、脚部７２１，８２１を各制御取付部７１１，８１１に一体成形することにより、遊技盤１６側（より具体的にはフレームカバー６１，集合板ユニット６８）に脚部７２１，８２１を設ける必要がないため、各制御取付部７１１，８１１の汎用性を高めつつパチンコ機１０のコストアップを抑制することが可能となる。例えば各制御取付部７１１，８１１とリブ７４２，８４２を一体成形し、遊技盤１６側の遊技部品と脚部７２１，８２１を一体成形する構成とした場合、各部材を成形するための成形型が大型化することとなり、これはパチンコ機１０のコストアップに繋がるからである。
【０１４１】
主制御装置７０１の背面側に形成される隙間領域Ａ１がリブ７４２により区画されている。主制御装置７０１は、特別遊技状態への移行有無や遊技球の払出等を管理する制御装置であるため、不正部品等による不正行為を行われる可能性が高く、不正基板から主制御装置７０１への電気配線が短くなるよう主制御取付台７１１の背面側に不正基板を設置する不正行為を行われる可能性が高い。故に、隙間領域Ａ１をリブ７４２により区画する構成とすることにより、主制御装置７０１に不正行為が行われることを抑止することが可能となり、パチンコ機１０を設置する遊技場等が不利益を被ることを回避することが可能となる。
【０１４２】
主制御取付台７１１は、主制御装置７０１を前後方向に着脱可能な構成であって、主制御装置７０１の一部が防護カバー８２と前後方向に重なる位置に取り付けられている。かかる場合、主制御装置７０１を主制御取付台７１１から取り外すためには、主制御装置７０１の全体が露出するように防護カバー８２を移動させる必要が生じる。故に、主制御装置７０１を不正基盤に交換する不正行為を困難なものとすることが可能となり、十分な不正対策を講じることができる。
【０１４３】
主制御取付台７１１の背面側に加えて音声ランプ制御取付台８１１の背面側にもリブ８４２を設けることにより、複数の制御装置を遊技盤１６の背面側に設置する構成であっても、各種遊技部品の配置に関する設計自由度を高めつつ十分な不正対策を講じることが可能となる。また、主制御取付台７１１の背面側に不正基板を設置せずとも、音声ランプ制御取付台８１１の背面側に不正基板を設けて主制御装置７０１と電気的に接続する不正行為も考えられる。かかる場合、音声ランプ制御装置８０１が防護カバー８２に覆われているために不正基板やその電気配線の発見が遅れる可能性が懸念され、主制御装置７０１の上部も防護カバー８２に覆われている構成においては、さらに発見が遅れる可能性が懸念される。そこで、音声ランプ制御取付台８１１の背面側にもリブ８４２を設けることにより、十分な不正対策を講じることができる。
【０１４４】
なお、上述した実施の形態の記載内容に限定されず、例えば次のように実施してもよい。
【０１４５】
（ａ）上記実施の形態では、各隙間領域Ａ１，Ａ２を格子状の複数のリブ７４２，８４２を用いて区画する構成としたが、図１２のような構成としても良い。図１２には、主制御取付台７１１についての変形例を示す。図１２の（ａ）では、格子状の多数のリブ７４２に代えて、柱部材として円柱状をなす複数のボス７６１を点在させて設けている。本構成においても、隙間領域Ａ１を遮る部材を適宜配することができる。これにより、不正基板の設置等を抑止する上で好適なる構成が実現できる。また、成形終了後に型から取り出す型抜き作業が、リブを設ける構成と比して容易となるという効果も期待できる。なお、柱部材として、多角形状、断面十字状、断面Ｔ字状、クランク状、断面ドーナツ状などをなす柱部材を設けても良い。かかる構成においても、主制御取付台７１１の背後空間を遮る部材を適宜配することができる。例えば、円柱状をなすボス７６１を点在させて設ける場合、その外径寸法は大きい方が良い。外径寸法が大きくなれば、不正道具等を直線的に差し入れることが困難になるためである（特に、ボス７６１が千鳥パターンで配置される場合に有効）。外径寸法を大きくするには、断面ドーナツ状の中空形状とするのが望ましい。
【０１４６】
図１２の（ｂ）では、多数のリブ７４２を格子状に設けることは同じであるが、区画された領域の間に円柱状をなすボス７６１を点在させて設けている。かかる構成とすれば、隙間領域Ａ１を区画しつつ適宜遮ることができるため、不正基板の設置等を抑止する上で好適なる構成が実現できる。また、ボス７６１は周囲を支持されていないため、外力によってたわむことが懸念されるが、リブ７４２によって囲まれた領域にボス７６１を点在させることにより、たわみ量を規制することが可能となる。
【０１４７】
図１２の（ｃ）では、スペーサ部材２８５に多数のリブ７４２を設けることは同じであるが、リブ７４２の設置域を一部にのみ限定している。つまり、隙間領域Ａ１を細分化する細分化領域と、隙間領域Ａ１を細分化しない非細分化領域とを設けている。かかる構成としても、不正基板を設置できない大きさに隙間領域Ａ１を区画するのであれば、不正基板の設置等を抑止する上で好適なる構成が実現できる。なお、表示制御取付台８１１を同様の構成としてもよいことは言うまでもない。
【０１４８】
（ｂ）上記実施の形態では、各制御取付台７１１，８１１の背面側に格子状の多数のリブ７４２，８４２を設け、それらリブ７４２，８４２により区画された各領域（細分化された領域）が前後方向に延びるように構成したが、これを変更する。同領域（細分化された領域）は左右方向又は上下方向に延びるものであっても良い。すなわち、上記実施の形態では、各隙間領域Ａ１，Ａ２がパチンコ機１０の前後方向に細分化される構成としたが、左右方向又は上下方向に細分化される構成としてもよい。
【０１４９】
（ｃ）上記実施の形態では、各制御取付台７１１，８１１とリブ７４２，８４２とを一体成形する構成としたが、別体構成であってもよい。但し、かかる構成とした場合には、区画部材としてのリブ７４２，８４２を各制御取付台７１１，８１１に組み付ける作業工程が必要となる。なお、別体構成とする場合には、各制御取付台７１１，８１１にリブ７４２，８４２を取り外し不可能に固定する。又は、取り外された場合にその痕跡が残るように固定することが不正防止の観点から望ましい。これら固定を実現する方法としては、一方向ネジによる固定、破断ネジによる固定、固定部に封印シールを貼付する、超音波溶着等の方法が挙げられる。
【０１５０】
（ｄ）上記実施の形態では、主制御装置ユニット７００と音声ランプ制御装置ユニット８００とを別構成としたが、主制御装置７０１と音声ランプ制御装置８０１とを１つの台座部材に搭載する構成としてもよいことは言うまでもない。かかる構成においても、台座部材を防護カバーに近接させる構成とし、台座部材と遊技盤の間に形成される隙間領域をリブにより区画する構成とすれば、上記実施形態と同様の作用効果を奏することは明らかである。
【０１５１】
（ｅ）上記実施の形態では、主制御取付台７１１と音声ランプ制御取付台８１１の背面側に共にリブ７４２，８４２を設ける構成としたが、主制御取付台７１１と遊技盤１６との間に隙間領域が形成されない、すなわち主制御取付台７１１が遊技盤１６に当接する構成であれば、音声ランプ制御取付台８１１の背面側にのみ隙間領域を細分化する部材を設ける構成としてもよい。
【０１５２】
（ｆ）上記実施の形態では、脚部７２１，８２１を各制御取付台７１１，８１１側に形成する構成としたが、これを変更し、遊技盤１６又は遊技盤１６に取り付けられる遊技部品に設ける構成としても良い。本構成においても、各制御取付台７１１，８１１と遊技盤１６との間に隙間領域を形成することができる。
【０１５３】
（ｇ）上記実施の形態では、防護カバー８２が主制御装置７０１の一部を覆う構成としたが、防護カバー８２より下方に主制御装置７０１を配置し、この主制御装置７０１が防護カバー８２から露出する構成としても良い。かかる構成とした場合、主制御装置７０１の視認性を高めることが可能となる。故に、パチンコ機１０を設置する遊技場等において、主制御装置７０１に不正行為がなされていないか否かを確認する作業を容易なものとすることが可能となる。なお、かかる場合には、パチンコ機１０の前後方向において、主制御装置７０１の後面と防護カバー８２の後面とがほぼ同じ位置となるように主制御取付台７１１の配置位置を設定することが望ましい。
【０１５４】
（ｈ）上記実施の形態では、主制御装置７０１と防護カバー８２、及び音声ランプ制御装置８０１と防護カバー８２との間に所定の隙間を設ける構成としたが、これらが当接する構成であってもよい。また、主制御装置７０１及び音声ランプ制御装置８０１のパチンコ機１０の前後方向における配置位置は、防護カバー８２と遊技盤１６との間隔の中で、これら各制御装置７０１，８０１が防護カバー８２寄りに位置する構成であればよい。
【０１５５】
（ｉ）上記実施の形態では、各基板装着部７１２，８１２を横長平板状に形成したが、かかる構成に限定されるものではなく、例えば中空板状であってもよいし、脚部７２１，８２１の先端面にて各制御装置７０１，８０１を装着支持する構成としてもよい。
【０１５６】
（ｊ）上記実施の形態では、各制御取付台７１１，８１１の周縁部に脚部７２１，８２１を設ける構成としたが、かかる構成に限定されるものではなく、例えば脚部７２１，８２１を設けることなく例えばリブ７４２，８４２の一部で各制御取付台７１１，８１１と遊技盤１６との間に隙間領域を形成する構成としてもよい。つまり、細分化部材の一部に隙間領域を形成する脚部としての機能を兼用させてもよい。或いは、各制御取付台７１１，８１１の略中央部に隙間領域を形成するための柱状の脚部を設ける構成としてもよい。
【０１５７】
（ｋ）上記実施の形態では、主制御装置７０１と音声ランプ制御装置８０１とを上下方向に並ぶように配置したが、かかる構成に限定されるものではなく、払出制御装置３１１等の他の制御装置も含め、その配置位置は任意である。但し、パチンコ機１０の前後方向において、各制御装置の後面がほぼ同じ位置となるように並んでいることが望ましい。
【０１５８】
（ｌ）制御取付台に搭載される制御装置を、音声ランプ制御装置８０１から別の制御装置に変更してもよい。又は、音声ランプ制御装置８０１に更に加えて別の制御装置を制御取付台に搭載してもよい。別の制御装置としては、図柄の表示制御を実施するための表示制御装置２７２などが考えられる。
【０１５９】
（ｍ）脚部７２１，８２１を各制御取付台７１１，８１１とは別体で設ける構成としてもよい。例えば、遊技盤１６の裏面に取り付けた集合板ユニット６８に、板部を後方に起立させて設け、この板部を脚部及び遮蔽部とする。或いは、集合板ユニット６８に、主制御取付台７１１に向かって延びる区画部材を設け、隙間領域を細分化する構成としてもよい。
【０１６０】
（ｎ）上記実施の形態では、遊技盤１６の裏面に主制御装置ユニット７００と音声ランプ制御装置ユニット８００を取り付ける構成としていたが、これを変更し、遊技機本体の裏面においてこれら各ユニット７００，８００を別部材に取り付ける構成としてもよい。例えば、主制御装置ユニット７００（主制御取付台７１１）を、遊技機本体を構成する本体枠１２に取り付ける。
【０１６１】
（ｏ）上記実施の形態では、主制御装置７０１の表面と音声ランプ制御装置８０１の表面の位置が前後方向においてほぼ同じ位置となるように脚部７２１，８２１を形成したが、かかる位置関係に限定されるものではなく、主制御装置７０１のみが防護カバー８２と近接する位置関係、或いは音声ランプ制御装置８０１のみが防護カバー８２と近接する位置関係であってもよい。
【０１６２】
（ｐ）上記各実施の形態では、各基板装着部７１２，８１２とリブ７４２，８４２とを合成樹脂にて一体成形したが、これ以外に、各部材をアルミニウム等の軽金属により作製したり、セラミックス等の陶磁器により作製したりしても良い。ただし、合成樹脂にて一体成形した方が、成型の容易さ、軽量化、低コスト化の観点で言って有利であると言える。
【０１６３】
（ｑ）上記実施の形態とは異なる他のタイプの弾球遊技機、例えば他の役物を備えたパチンコ機、アレンジボール機、雀球等の遊技機や、メダルに代えて遊技球（パチンコ球）を使用する球使用タイプの回胴式遊技機にも適用できる。
【０１６４】
球使用タイプの回胴式遊技機では、外周に複数の図柄が付されたリール装置（回胴装置）、遊技者により操作されるベットスイッチやスタートレバー等の装置類、遊技球の取込を許可又は禁止すると共に順次取り込まれる遊技球をカウントするための取込装置などが設けられる。この場合、球受皿に貯留された遊技球は、整列通路部及び取込口を介して取込装置に導かれる。そして、遊技者によるベットスイッチの操作に伴い取込装置で遊技球の取込が行われ、その取り込まれた遊技球数に応じて毎回の遊技の開始（スタートレバー操作に伴うリール回転）が許容される。
【符号の説明】
【０１６５】
１０…パチンコ機、１１…外枠、１２…本体枠、１３…支持機構、１４…前扉枠、１５…窓部、１６…遊技盤、１７…上皿、１８…下皿、１９…遊技球発射ハンドル、２０…遊技球発射装置、２１…内レール、２２…外レール、３２…可変入賞装置、３３…作動口、３５…可変表示ユニット、３６…アウト口、４１…第１図柄表示装置、４２…第２図柄表示装置、４３…センターフレーム、６１…フレームカバー、６６…支軸部、６７…締結部、６８…集合板ユニット、８２…防護カバー、２７２…表示制御装置、７００…主制御装置ユニット、７０１…主制御装置、７０２…基板ボックス、７０４…封印部、７１１…主制御取付台、７１２…基板装着部、７１２ａ…基板搭載面、７２１…脚部、７４２…リブ、７５１…凹部、８００…音声ランプ制御装置ユニット、８０１…音声ランプ制御装置、８１１…音声ランプ制御取付台、８１２…基板装着部、８１２ａ…基板搭載面、８２１…脚部、８４２…リブ、８５１…凹部、Ａ１，Ａ２…隙間領域。
【図１】
2010253320.tif 000003
【図２】
2010253320.tif 000004
【図３】
2010253320.tif 000005
【図４】
2010253320.tif 000006
【図５】
2010253320.tif 000007
【図６】
2010253320.tif 000008
【図７】
2010253320.tif 000009
【図８】
2010253320.tif 000010
【図９】
2010253320.tif 000011
【図１０】
2010253320.tif 000012
【図１１】
2010253320.tif 000013
【図１２】
2010253320.tif 000014